(57)【要約】【課題】ユーザーが自由に積み重ねたり、位置を入れ替えたり、キャビネットから引き出したりして、柔軟に使用できる書類トレイと、この書類トレイをキャビネットに収納したレターケースを提供する。【解決手段】本発明の書類トレイ１は、側板４が底板２の左右両側縁部から底板２に対して垂直に、かつ一定の高さで立ち上がり、底板２の左右両側縁部の下面には、奥行き方向に延びる係合リブが設けられ、この係合リブの外面が、側板４の内面の延長面に一致しているので、隙間なく積み重ねることができる。この書類トレイ１を略箱状のキャビネット６に複数個、引出し可能に組み込むことにより、多段式のレターケース１０としても利用できる。【選択図】図６
2004249608.tif 000002
【特許請求の範囲】
【請求項１】
略矩形の底板と、底板の四周を囲む前板、左右の側板、及び背板とを備え、
側板は底板の左右両側縁部から底板に対して垂直に、かつ一定の高さで立ち上げられ、背板は底板の後縁部から側板と同寸以下の高さに立ち上げられ、前板は底板の前縁部から、側板及び背板よりも低く斜め前方に張り出して形成され、
底板の左右両側縁部の下面には、奥行き方向に延びる係合リブが設けられ、この係合リブの外面が、側板の内面の延長面に一致していることを特徴とする書類トレイ。
【請求項２】
左右両側板の上縁部には、上方に突出する突起部が形成され、左右両側板の下縁部には、上記突起部に係合可能な複数箇所の凹部が、奥行き方向に適宜の間隔を設けて形成されたことを特徴とする請求項１に記載の書類トレイ。
【請求項３】
前板の前縁部には幅方向に連続する引手が設けられ、前板における上記引手の下側から底板の前部近傍にかけて、幅方向における略中央に指入れ可能なくり抜き部が形成されたことを特徴とする請求項１または２に記載の書類トレイ。
【請求項４】
複数段の棚板または棚受けレールを有して前面が開口した略箱状のキャビネットに、請求項１、２または３に記載の書類トレイが複数個、引出し可能に組み込まれたことを特徴とするレターケース。
【請求項５】
キャビネットの前面近傍に、書類トレイの突起部に当接する抜け止めが設けられたことを特徴とする請求項４に記載のレターケース。
【発明の詳細な説明】
【０００１】
【発明の属する技術分野】
本発明は、書類等の整理収納に利用される書類トレイと、かかる書類トレイを利用した多段式のレターケースに関する。
【０００２】
【従来の技術】
従来より、書類や手紙類を仕分けして整理するための収納用品として、書類トレイやデスクトレイと称される平面視矩形の皿状容器が広く利用されている。この種の書類トレイは、単独で、または複数個を積み重ねて使用される場合もあるが、複数個の書類トレイをリンクアーム状あるいは支柱状の連結部材で連結したものも知られている（例えば特許文献１〜２参照）。
【０００３】
また、同様の目的に供される他の収納用品として、全面が開口した箱状のキャビネットに複数段の浅い引出しを組み込んだ、いわゆるレターケースも広く利用されている（例えば特許文献３〜４参照）。
【０００４】
【特許文献１】
実開昭５９−５９３７８号公報
【特許文献２】
実開平５−４４５８１号公報
【特許文献３】
実開平７−７９８１号公報
【特許文献４】
特開平７−５１１３２号公報
【０００５】
【発明が解決しようとする課題】
書類トレイを複数個、単純に積み重ねて使用する場合は、最上段以外の書類トレイに対する書類の出し入れが不便である。複数個の書類トレイを予め昇降自在に連結したものでも、上下段の開口間隔が拘束されるので、大きな書類の出し入れは容易でない。また、書類トレイを連結したものでは、内容物の種類や使用頻度に合わせて、書類トレイの上下順を入れ替えたりすることも困難である。
【０００６】
一方、引出し式のレターケースでは、各段について書類の出し入れがしやすく、また引出しの入れ替えも可能である反面、キャビネットの設置や引出しの出し入れのために余分なスペースが必要になり、書類トレイに比べてスペース効率が低い。
【０００７】
本発明は上記のような問題に鑑みてなされたもので、ユーザーが、個々の事情や好みに応じて、積み重ねたり、位置を入れ替えたり、キャビネットから引き出したりして、自由かつ柔軟に使用することのできる書類トレイと、かかる書類トレイをキャビネットに収納したレターケースを提供することを解決課題としている。
【０００８】
【課題を解決するための手段】
上記の課題を解決するため、本発明の書類トレイは、略矩形の底板と、底板の四周を囲む前板、左右の側板、及び背板とを備え、側板は底板の左右両側縁部から底板に対して垂直に、かつ一定の高さで立ち上げられ、背板は底板の後縁部から側板と同寸以下の高さに立ち上げられ、前板は底板の前縁部から、側板及び背板よりも低く斜め前方に張り出して形成され、底板の左右両側縁部の下面には、奥行き方向に延びる係合リブが設けられ、この係合リブの外面が、側板の内面の延長面に一致していることを特徴とする。
【０００９】
さらに、この書類トレイにおいて、左右両側板の上縁部には、上方に突出する少なくとも一箇所ずつの突起部が形成され、左右両側板の下縁部には、上記突起部に係合可能な複数箇所の凹部が、奥行き方向に適宜の間隔を設けて形成されたことを特徴とする。
【００１０】
さらに、この書類トレイにおいて、前板の前縁部には幅方向に連続する引手が設けられ、前板における上記引手の下側から底板の前部近傍にかけて、幅方向における略中央に指入れ可能なくり抜き部が形成されたことを特徴とする。
【００１１】
また、本発明のレターケースは、複数段の棚板または棚受けレールを有して前面が開口した略箱状のキャビネットに、上記書類トレイが複数個、引出し可能に組み込まれたことを特徴とする。
【００１２】
さらに、このレターケースにおいて、キャビネットの前面近傍に、書類トレイの突起部に当接する抜け止めが設けられたことを特徴とする。
【００１３】
【発明の実施の形態】
以下、本発明の実施の形態について、図面を参照しつつ説明する。
【００１４】
図１〜図５は、本発明の実施の形態にかかる書類トレイ１を示している。この書類トレイ１は、平面視略矩形の底板２と、底板２の四周を囲む前板３、左右の側板４、及び背板５とを備えている。底板２、前板３、側板４、及び背板５の板厚は略均一である。
【００１５】
側板４は、底板２の左右両側縁部から、底板２に対して垂直に立ち上げられている。側板４には、意匠的な特徴を付与する目的で、複数個の角穴４１が千鳥に形成されている。背板５も、底板２の後縁部から、底板２に対して垂直に立ち上げられている。側板４と背板５の立ち上がり高さは同一に揃えられている。
【００１６】
これに対して前板３は、図３に示すように、底板２の前縁部から、側板４及び背板５の半分程度の高さで斜め前方に張り出している。前板３の前縁部は、断面逆Ｕ字状に折り返されて、幅方向に連続する引手３１となされている。さらに、この引手３１の下側から底板２の前部近傍にかけて、指入れ可能なくり抜き部３２が形成されえている。このくり抜き部３２は、前方から書類を出し入れする際に、書類を持ち上げやすくするためのものである。
【００１７】
底板２の左右両側縁部の下面には、図４、図５に示すように、奥行き方向に延びる係合リブ２１が設けられている。この係合リブ２１の外面は、側板４の内面の延長面に一致するように形成されている。
【００１８】
さらに、左右両側板４の上縁部には、上方に突出する側面視略半円形状の突起部４２が形成されている。この突起部４２の肉厚は側板４と同じである。一方、左右両側板４の下縁部には、上記突起部４２に係合可能な側面視略半円形状の凹部４３が、奥行き方向に一定間隔を設けて複数箇所に形成されている。
【００１９】
このような構成によって、この書類トレイ１は、図１に示すような積み重ねが可能となる。すなわち、図５に示したように、下段の書類トレイ１の側板４の内側に、上段の書類トレイ１の係合リブ２１が嵌合して、上下段の書類トレイ１が左右方向にずれるのを防ぐ。さらに、図４に示したように、下段の書類トレイ１の側板４の上縁部に形成された突起部４２が、上段の書類トレイ１の側板４の下縁部に形成された凹部４３に係合して、上下段の書類トレイ１が前後方向にずれるのを防ぐ。凹部４３は、上下段の書類トレイ１をずらさずに重ねたときの合致位置（例示の形態では最も後方の位置）を含めて、適宜のピッチで複数箇所に形成されているので、図１における下から２段目と３段目のように、上段を下段よりも１ピッチ分後退させたり、同じく２段目と３段目のように、上段を下段よりも２ピッチ分後退させたりして、書類トレイ１を多様な配置で積み重ねることができる。これにより、ユーザーの好みや必要に応じて、あるいは書類トレイ１の使用頻度に応じて、書類トレイ１の位置関係を容易に変更することができる。
【００２０】
なお、例示の形態では、凹部４３は左右に３箇所ずつ形成されているが、この個数はさらに多くてもよい。また、突起部４２と凹部４３の側面形状は、例示のような半円形に限らず、鋭角的になりすぎない範囲で三角形や台形などの形状も採用することができる。
【００２１】
さらに、例示の形態では、上下段の書類トレイ１を前後にずらせて積み重ねたときに、下段の書類トレイ１の背板５が上段の書類トレイ１の係合リブ２１に干渉するのを避けるため、係合リブ２１に、各凹部４３の位置と対応する切欠部２２を設けている。これにより、各段の書類トレイ１を隙間なく整然と積み重ねることができる。ただし、このような切欠部２２を係合リブ２１側に設ける替わりに、背板５の両端部上縁に、係合リブ２１と略同断面の切欠部（図示せず）を形成してもよい。
【００２２】
図６は、上記の書類トレイ１を利用したレターケース１０を示す。このレターケース１０は、略箱状のキャビネット６に上記の書類トレイ１を組み込んで構成される。例示のキャビネット６は、底部と左右両側部と背部とが一体に成形された樹脂製の枠体ユニット６１を３段、積み重ね、最上部に天板６２を取り付けたものである。ただし、枠体ユニット６１の材質や積み重ねる段数はこれに限定されるものではない。各段の前面には、書類トレイ１の幅及び高さに対応する矩形の開口部６３が形成される。各段の底部を棚板６４として、この棚板６４上に書類トレイ１を載置することにより、各段の書類トレイ１を引出しとしても利用することが可能になる。
【００２３】
この構成では、書類トレイ１の両側板４が底板２に対して直立しているので、書類トレイ１をキャビネット６内に収納したときに、見た目の納まりがすっきりとして、美しい外観が得られる。さらに、書類トレイ１の底板２に設けられた係合リブ２１が、書類トレイ１の出し入れに際して、キャビネット６の棚板６４に対する摩擦を低減させる作用をなすので、書類トレイ１の出し入れも軽快になる。
【００２４】
また、図２に想像線で示したように、キャビネット６の前面に、開口部６３の上縁から垂下するような抜け止め６５を設けると、書類トレイ１を不用意に引き出し過ぎた場合でも、書類トレイ１の突起部４２が抜け止め６５に当接して、前方への落下を防ぐことができる。
【００２５】
なお、書類トレイ１を載置するための棚板６４は、キャビネット６の幅方向全体にわたって連続するものでなくともよく、書類トレイ１の両側縁部を支持しうるものであれば、適宜の幅を有する棚受けレールのようなものであってもよい。
【００２６】
【発明の効果】
本発明の書類トレイは、複数個を自由な配置で積み重ねることができるので、例えば頻繁に書類を出し入れする場合には、各段を前後にずらしたり、上下を簡単に入れ替えたりすることができ、反対に書類の出し入れを行わない場合には、各段を上下に揃えて設置スペースを小さくするなど、ユーザーの好みや必要に応じて、多数個の書類トレイを様々な態様で自由に使用することができる。
【００２７】
さらに、書類トレイを上下に揃える場合、前後にずらす場合のいずれにおいても、各書類トレイに形成された係合レールや突起部、凹部の係合作用により、各段の書類トレイが整然と隙間なく重なるので、意匠面においても、直線的で鋭角的な印象が好適に保持される。
【００２８】
また、本発明のレターケースは、上記の書類トレイをキャビネットに組み込んで構成されるので、書類トレイを引き出すことにより、下段の書類トレイについても書類の出し入れが容易になる。ユーザーは、書類の出し入れに要する開口面の大きさに応じて、各段の書類トレイを自由に引き出すことができるとともに、上下の位置関係も自由に入れ替えることができる。さらに、書類の出し入れを行わない場合は、すべての書類トレイをキャビネット内に収納できるので、整然とした収納状態を保持することができる。
【図面の簡単な説明】
【図１】本発明の実施の形態にかかる書類トレイを複数個、積み重ねた使用状態を示す斜視図である。
【図２】図１に示した書類トレイの右側面図である。
【図３】図１に示した書類トレイの奥行き方向断面図である。
【図４】図１に示した書類トレイの幅方向部分断面図である。
【図５】図１に示した書類トレイの上下段の係合状態を示す部分斜視図である。
【図６】本発明の実施の形態にかかるレターケースの斜視図である。
【符号の説明】
１    書類トレイ
１０  レターケース
２    底板
２１  係合リブ
３    前板
３１  引手
３２  くり抜き部
４    側板
４２  突起部
４３  凹部
５    背板
６    キャビネット
６４  棚板
６５  抜け止め
【図１】
2004249608.tif 000003
【図２】
2004249608.tif 000004
【図３】
2004249608.tif 000005
【図４】
2004249608.tif 000006
【図５】
2004249608.tif 000007
【図６】
2004249608.tif 000008